(57)【要約】【課題】表示画面の大きさが所望の入力情報を一括して入力させるに足りない端末において、利用者に煩雑な操作を要求することなく所望の入力を行わせる。【解決手段】ネットワークを介してサーバからダウンロードされた入力用ページを表示し、利用者が当該入力用ページに対して入力した情報をネットワークへ送信する情報端末３０は、当該情報端末上で実行されるブラウザ画面上に、複数の入力用ページをそれぞれ表示するページ表示部４２０と、複数の入力用ページに対してそれぞれ入力された複数の入力パラメータを格納する入力情報格納部４３０と、複数の入力パラメータを送信させる送信指示を受けた場合に、複数の入力パラメータを送信する入力情報送信部４４０とを備える。【選択図】  図１
2004152184.tif 000002
【特許請求の範囲】
【請求項１】
ネットワークを介してサーバからダウンロードされた入力用ページを表示し、利用者が当該入力用ページに対して入力した情報をネットワークへ送信する情報端末であって、
当該情報端末上で実行されるブラウザ画面上に、複数の前記入力用ページをそれぞれ表示するページ表示部と、
前記複数の入力用ページに対してそれぞれ入力された複数の入力パラメータを格納する入力情報格納部と、
前記複数の入力パラメータを送信させる送信指示を受けた場合に、前記複数の入力パラメータを送信する入力情報送信部と
を備えることを特徴とする情報端末。
【請求項２】
前記複数の入力用ページは、利用者に入力させる入力情報の一部ずつを前記複数の入力パラメータのそれぞれとして入力させるためのページであり、
前記複数の入力用ページを、当該複数の入力用ページを識別するパッケージ識別情報に対応付けて受信するページ受信部を更に備え、
前記入力情報送信部は、前記入力情報格納部に格納された入力パラメータのうち、同一の前記パッケージ識別情報に対応付けられた入力用ページに対して入力された入力パラメータを選択して結合し、前記入力情報として送信することを特徴とする請求項１記載の情報端末。
【請求項３】
前記入力情報格納部は、同一の前記パッケージ識別情報に対する複数の前記入力情報を識別する入力識別情報を、前記複数の入力パラメータのそれぞれに対応付けて格納し、
前記入力情報送信部は、前記入力情報格納部に格納された入力パラメータのうち、同一の前記パッケージ識別情報に対応付けられた入力用ページに対して入力された、同一の前記入力識別情報に対応付けられた複数の入力パラメータを選択して結合し、前記入力情報として送信することを特徴とする請求項２記載の情報端末。
【請求項４】
前記入力情報送信部は、同一の前記パッケージ識別情報に対応付けられた全ての前記複数の入力用ページのそれぞれに対する前記複数の入力パラメータが、前記入力情報格納部に格納された場合に、当該複数の入力パラメータを結合して前記入力情報として送信することを特徴とする請求項２記載の情報端末。
【請求項５】
前記ページ受信部は、前記複数の入力用ページを、当該複数の入力用ページの各々を表示させる表示順を識別する情報に対応付けて受信し、
当該情報端末は、
前記複数の入力用ページを前記パッケージ識別情報に対応付けて格納するページ格納部を更に備え、
前記ページ表示部は、前記ページ格納部に格納された一の前記入力用ページを表示し、前記一の入力用ページへの入力が終了した旨の指示を受けた場合に、前記一の入力用ページの次の前記表示順を有する入力用ページを表示することを特徴とする請求項２記載の情報端末。
【請求項６】
前記ページ受信部は、前記入力情報の返送先を識別する情報である宛先情報を、前記パッケージ識別情報に対応付けて更に受信し、
前記入力情報送信部は、前記入力情報格納部に格納された入力パラメータのうち、同一のパッケージ識別情報に対応付けられた複数の入力用ページへの複数の入力パラメータを選択して結合し、当該同一のパッケージ識別情報に対応付けられた前記宛先情報が識別する返送先に送信することを特徴とする請求項２記載の情報端末。
【請求項７】
前記入力情報格納部に格納された前記複数の入力情報を表示する入力情報表示部と、
前記複数の入力情報のうち何れの入力情報を送信するかを利用者に選択させる選択部と
を更に備え、
前記入力情報送信部は、選択された前記入力情報を送信することを特徴とする請求項２記載の情報端末。
【請求項８】
当該情報端末が外部の装置と通信可能か否かを検出するオンライン検出部を更に備え、
前記入力情報送信部は、当該情報端末が前記外部の装置と通信可能と検出された場合に、前記複数の入力パラメータを送信することを特徴とする請求項１記載の情報端末。
【請求項９】
前記複数の入力パラメータを受信したサーバが返信する返信情報を、当該返信情報の送信元のサーバを識別する情報に対応付けて格納する返信情報格納部と、
前記返信情報を表示する指示を受けた場合に、前記返信情報を表示する返信情報表示部と
を更に備えることを特徴とする請求項１記載の情報端末。
【請求項１０】
ネットワークを介してサーバからダウンロードされた入力用ページを情報端末に表示させ、利用者が当該入力用ページに対して入力した情報を送信する送受信代理装置であって、
前記情報端末上で実行されるブラウザ画面上に、複数の前記入力用ページをそれぞれ表示させるページ表示部と、
前記複数の入力用ページに対してそれぞれ入力された複数の入力パラメータを格納する入力情報格納部と、
前記複数の入力パラメータを送信させる送信指示を受けた場合に、前記複数の入力パラメータを送信する入力情報送信部と
を備えることを特徴とする送受信代理装置。
【請求項１１】
複数の入力用ページを格納するサーバと、前記複数の入力用ページに対する利用者の入力を受け付ける情報端末とを備えた通信システムであって、
前記サーバは、前記情報端末からの要求指示に応じて複数の入力用ページを送信するページ送信部を有し、
前記情報端末は、
前記複数の入力ページを要求する要求指示を前記サーバに送信し、当該複数の入力ページを受信するページ受信部と、
当該情報端末上で実行されるブラウザ画面上に、複数の前記入力用ページをそれぞれ表示するページ表示部と、
前記複数の入力用ページに対してそれぞれ入力された複数の入力パラメータを格納する入力情報格納部と、
前記複数の入力パラメータを送信させる送信指示を受けた場合に、前記複数の入力パラメータを送信する入力情報送信部と
を有することを特徴とする通信システム。
【請求項１２】
複数の入力用ページを格納するサーバと、前記複数の入力用ページに対する利用者の入力を受け付ける情報端末との間の通信方法であって、
前記サーバは、前記情報端末からの要求指示に応じて複数の入力用ページを送信する段階を有し、
前記情報端末は、
前記複数の入力ページの送信を要求する要求指示を前記サーバに送信し、当該複数の入力ページを受信する段階と、
当該情報端末上で実行されるブラウザ画面上に、複数の前記入力用ページをそれぞれ表示する段階と、
前記複数の入力用ページに対してそれぞれ入力された複数の入力パラメータをメモリに格納する段階と、
前記複数の入力パラメータを送信させる送信指示を受けた場合に、前記複数の入力パラメータを送信する段階と
を有することを特徴とする通信方法。
【請求項１３】
ネットワークを介してサーバからダウンロードされた入力用ページを表示し、利用者が当該入力用ページに対して入力した情報をネットワークへ送信する情報端末としてコンピュータを機能させるプログラムであって、
前記コンピュータを
当該情報端末上で実行されるブラウザ画面上に、複数の前記入力用ページをそれぞれ表示するページ表示部と、
前記複数の入力用ページに対してそれぞれ入力された複数の入力パラメータを格納する入力情報格納部と、
前記複数の入力パラメータを送信させる送信指示を受けた場合に、前記複数の入力パラメータを送信する入力情報送信部と
して機能させることを特徴とするプログラム。
【請求項１４】
ネットワークを介してサーバからダウンロードされた入力用ページを表示し、利用者が当該入力用ページに対して入力した情報をネットワークへ送信する情報端末としてコンピュータを機能させるプログラムを記録した記録媒体であって、
前記プログラムは、前記コンピュータを
当該情報端末上で実行されるブラウザ画面上に、複数の前記入力用ページをそれぞれ表示するページ表示部と、
前記複数の入力用ページに対してそれぞれ入力された複数の入力パラメータを格納する入力情報格納部と、
前記複数の入力パラメータを送信させる送信指示を受けた場合に、前記複数の入力パラメータを送信する入力情報送信部と
して機能させることを特徴とする記録媒体。
【発明の詳細な説明】
【０００１】
【発明の属する技術分野】
本発明は、情報端末、送受信代理装置、通信システム、通信方法、プログラム、及び記録媒体に関する。特に本発明は、利用者が情報端末等に入力した情報を送信前に処理する情報端末、送受信代理装置、通信システム、通信方法、プログラム、及び記録媒体に関する。
【０００２】
【従来の技術】
従来、オフライン状態、即ち通信ネットワークに接続されていない状態において受け付けた利用者からの入力を一時的に格納し、後にサーバへ送信する端末等が提案されている（特許文献１参照。）。
【０００３】
【特許文献１】
特表２００１−５２５０９３号公報
【０００４】
【発明が解決しようとする課題】
しかしながら、上記文献は、サーバの所望する入力を行わせるための入力画面が当該端末の画面内に収まらない場合、利用者に煩雑な操作を要求することなく所望の入力を行わせる方法について開示していない。
そこで本発明は、上記の課題を解決することのできる情報端末、送受信代理装置、通信システム、通信方法、プログラム、及び記録媒体を提供することを目的とする。この目的は特許請求の範囲における独立項に記載の特徴の組み合わせにより達成される。また従属項は本発明の更なる有利な具体例を規定する。
【０００５】
【課題を解決するための手段】
即ち、本発明の第１の形態によると、ネットワークを介してサーバからダウンロードされた入力用ページを表示し、利用者が当該入力用ページに対して入力した情報をネットワークへ送信する情報端末であって、当該情報端末上で実行されるブラウザ画面上に、複数の入力用ページをそれぞれ表示するページ表示部と、複数の入力用ページに対してそれぞれ入力された複数の入力パラメータを格納する入力情報格納部と、複数の入力パラメータを送信させる送信指示を受けた場合に、複数の入力パラメータを送信する入力情報送信部とを備えることを特徴とする情報端末、送受信代理装置、通信システム、これらの装置等を実現する通信方法、プログラム、及び当該プログラムを記録した記録媒体を提供する。
なお上記の発明の概要は、本発明の必要な特徴の全てを列挙したものではなく、これらの特徴群のサブコンビネーションも又発明となりうる。
【０００６】
【発明の実施の形態】
以下、発明の実施の形態を通じて本発明を説明するが、以下の実施形態は特許請求の範囲にかかる発明を限定するものではなく、又実施形態の中で説明されている特徴の組み合わせの全てが発明の解決手段に必須であるとは限らない。
図１は、通信システム１０の機能ブロック図を示す。通信システム１０は、ワールド・ワイド・ウェブ（ＷＷＷと略す）システムにおいて利用者からの入力を受け付ける入力用ページを提供するＷＷＷサーバ２０と、ＷＷＷサーバ２０及び情報端末３０間を通信させるネットワーク２５と、入力用ページに対する利用者からの入力を受け付ける携帯電話等の携帯通信端末である情報端末３０とを備える。
【０００７】
ＷＷＷサーバ２０は、情報端末３０からの要求指示に応じて、利用者に入力させるべき入力情報の一部ずつを複数の入力パラメータのそれぞれとして入力させるための複数の入力用ページを情報端末３０に送信する。情報端末３０は、受け取った複数の入力用ページに対してそれぞれ入力された複数の入力パラメータを格納する。そして、情報端末３０は、複数の入力用パラメータを送信させる送信指示を受けた場合に、格納された複数の入力パラメータを結合して入力情報としてＷＷＷサーバ２０に送信する。
【０００８】
このように、情報端末３０が、入力された複数の入力パラメータを結合して、ＷＷＷサーバ２０の所望する入力情報としてＷＷＷサーバ２０に送信するので、ＷＷＷサーバ２０は、入力情報を簡便に受信処理することができる。例えば、ＷＷＷサーバ２０は、複数の入力パラメータをそれぞれ受信するために複数の通信コネクションを確立することなく、入力情報を一括して受信することができる。
【０００９】
ＷＷＷサーバ２０は、情報端末３０に送る複数の入力用ページを格納する入力用ページ格納データベース１０５と、情報端末３０からの指示に応じて複数の入力用ページを送信するページ送信部１１０と、情報端末３０から受け取った入力情報に対して返信する返信処理部１２０とを有する。
【００１０】
入力用ページ格納データベース１０５は、利用者に入力させるべき入力情報の一部ずつを複数の入力パラメータのそれぞれとして入力させるための複数の入力用ページを、複数の入力用ページを識別するパッケージ識別情報と、当該複数の入力用ページに入力された入力パラメータの返送先を識別する宛先情報とに対応付けて格納する。例えば、入力情報が、利用者の連絡先を示す情報である場合に、複数の入力パラメータは、利用者の氏名、利用者の住所、及び利用者の電話番号等であってよい。この場合、複数の入力用ページは、それぞれ利用者の氏名を入力する入力フォーム、利用者の住所を入力する入力フォーム、及び利用者の電話番号を入力する入力フォームを含むページであってよい。
そして、入力用ページ格納データベース１０５は、複数の入力用ページのそれぞれが、何れの入力情報を入力させるためのページであるか、即ち何れの入力情報を入力させる入力用ページのパッケージに属するか否かを識別するパッケージ識別情報を、複数の入力用ページのそれぞれに対応付けて格納する。また、入力用ページ格納データベース１０５は、同一のパッケージに属する複数の入力用ページに入力された入力パラメータを返送すべき返送先（例えば、ＷＷＷサーバ２０）を識別する宛先情報を、複数の入力用ページに対応付けて格納する。更に、入力用ページ格納データベース１０５は、同一のパッケージに属する複数の入力用ページの表示順を示す情報と、最後に入力されるべきページを識別する最終ページ情報を格納してもよい。
【００１１】
ページ送信部１１０は、入力用ページを要求する要求指示をネットワーク２５を介してページ受信部４００から受け取った場合に、当該要求指示に応じた複数の入力用ページを、パッケージ識別情報、宛先情報、表示順、及び最終ページ情報に対応付けて入力用ページ格納データベース１０５から選択して受け取り、ページ受信部４００に送る。
【００１２】
返信処理部１２０は、ネットワーク２５を介して入力情報送信部４４０から入力情報を受け取った場合に、入力情報に応じた処理を行い、処理結果を返信情報格納部４５０に送る。例えば、返信処理部１２０は、入力情報を適切に受信した旨の受信確認メッセージを返信情報格納部４５０に送ってもよいし、入力情報の内容に応じた処理を行い、その処理結果を返信情報格納部４５０に送ってもよい。
【００１３】
情報端末３０は、入力用ページ及び入力パラメータの送受信を代理する送受信代理装置の一例であるＨＴＴＰプロキシ４０と、入力用ページを表示し利用者からの入力を受け付けるブラウザ５０と、入力情報を送信する指示を利用者から受け付けるウェブキャッシュアプレット６０とを有する。
【００１４】
ＨＴＴＰプロキシ４０は、ＷＷＷサーバ２０から受け取った複数の入力用ページを格納し、各入力用ページを１ページずつ順次ブラウザ５０の画面上に表示する。ブラウザ５０は、利用者が入力用ページに入力した入力パラメータを、当該入力用ページに予め対応付けられた宛先情報等と伴にＨＴＴＰプロキシ４０内に格納する。ウェブキャッシュアプレット６０が、入力情報を送る送信指示を受けた場合に、ＨＴＴＰプロキシ４０は、格納している入力パラメータを結合して入力情報としてＷＷＷサーバ２０に送る。そして、ＨＴＴＰプロキシ４０は、入力情報を受信したＷＷＷサーバ２０による返信情報を受信し、ブラウザ５０又はウェブキャッシュアプレット６０に表示させる。
【００１５】
ＨＴＴＰプロキシ４０は、ページ受信部４００と、ページ格納部４１０と、ページ表示部４２０と、入力情報格納部４３０と、入力情報送信部４４０と、返信情報格納部４５０と、返信情報表示部４６０とを有する。
【００１６】
ページ受信部４００は、複数の入力用ページを、パッケージ識別情報、宛先情報、表示順、及び最終ページ情報に対応付けてＷＷＷサーバ２０からダウンロードすることにより受信し、ページ格納部４１０に格納する。そして、ページ受信部４００は、最終ページ情報をパッケージ識別情報に対応付けて入力情報格納部４３０に送る。
【００１７】
ページ格納部４１０は、複数の入力用ページを、パッケージ識別情報、宛先情報、表示順、及び最終ページ情報に対応付けてページ受信部４００から受け取り、格納する。ページ格納部４１０は、格納している入力用ページを必要に応じて順次ページ表示部４２０に送る。
【００１８】
ページ表示部４２０は、ページ格納部４１０から複数の入力用ページを順次受け取り、パッケージ識別情報毎に１ページずつ順次ブラウザ５０の画面上に表示する。より詳細には、まず、ページ表示部４２０は、ページ格納部４１０に格納された一の入力用ページを表示する。そして、ページ表示部４２０は、この入力用ページへの入力が終了した旨の指示をブラウザ５０から受けた場合に、ページ格納部４１０中に格納される表示順に応じて、この入力用ページの次の入力用ページをページ格納部４１０から取得し表示する。ページ表示部４２０は、上記動作を最終の入力用ページを表示するまで繰り返す。
【００１９】
入力情報格納部４３０は、ページ表示部４２０により表示された複数の入力用ページに対して利用者から入力された入力パラメータを、宛先識別情報及びパッケージ識別情報に対応付けてブラウザ５０から受信し格納する。また、入力情報格納部４３０は、最終ページ情報をページ受信部４００から受け取る。
【００２０】
そして、入力情報格納部４３０は、あるパッケージに対して複数の入力情報が入力された場合に、各入力情報を互いに識別する入力識別情報を、各入力情報を構成する入力パラメータに対応付けて格納する。具体的には、入力情報格納部４３０は、パッケージ識別情報毎に、各パッケージに属する入力パラメータに対応付けるべき入力識別情報（例えば、各パッケージを識別する値である入力識別ＩＤ）を格納している。そして、入力情報格納部４３０は、ページ受信部４００から受け取った最終ページ情報が識別する最終入力用ページへの入力パラメータを格納した場合に、当該最終ページ情報に対応付けられたパッケージに対応する入力識別ＩＤを１増加させる。従って、入力情報格納部４３０が当該パッケージについてその後受け取る入力パラメータに対しては、１増加された入力識別ＩＤが対応付けられることとなり、同一のパッケージに対する複数の入力情報を互いに区別させることができる。
また、入力情報格納部４３０は、複数の入力パラメータの情報、即ち入力情報を、宛先情報に対応付けて入力情報送信部４４０に送る。また、入力情報格納部４３０は、入力情報を、宛先情報、入力識別情報、及びパッケージ識別情報に対応付けて入力情報表示部６００に送る。
【００２１】
入力情報送信部４４０は、送信すべき入力情報に対応付けられたパッケージ識別情報及び入力識別情報を、入力パラメータを送信させる送信指示に対応付けて選択部６１０から受け取る。そして、入力情報送信部４４０は、受け取ったパッケージ識別情報及び入力識別情報に対応付けられた入力情報を構成する複数の入力パラメータを入力情報格納部４３０内から選択し、互いに結合することにより入力情報を生成し、ネットワーク２５を介して返信処理部１２０に送る。
【００２２】
ウェブキャッシュアプレット６０は、入力情報表示部６００と、選択部６１０と、オンライン検出部６２０とを有する。
【００２３】
入力情報表示部６００は、入力情報を、宛先情報、パッケージ識別情報、及び入力識別情報に対応付けて入力情報格納部４３０から受け取る。そして、入力情報表示部６００は、例えば利用者から、入力情報を表示する旨の表示指示を受け取った場合に、入力情報格納部４３０内に格納された全ての入力情報を、例えば、テーブル形式で利用者に対して表示する。また、入力情報表示部６００は、選択部６１０からの指示に応じて、パッケージ識別情報及び入力識別情報を選択部６１０に送る。
【００２４】
選択部６１０は、外部から、入力情報表示部６００により表示された複数の入力情報のうち何れの入力情報を送信するかを選択する選択指示を受け取った場合、かつオンライン検出部６２０からオンライン通知を受け取った場合に、選択指示によって選択された入力情報を識別するパッケージ識別情報及び入力情報を入力情報表示部６００から受け取り、入力情報送信部４４０に送る。
【００２５】
オンライン検出部６２０は、情報端末３０が外部の装置と通信可能なオンライン状態か否かを判断する。例えば、オンライン検出部６２０は、定期的に外部の装置（例えば、ＷＷＷサーバ２０）に対して通信を試みることにより、オンライン状態か否かを判断してもよいし、情報端末３０が携帯電話等である場合には、携帯電話の基地局との通信状態を管理する機能を用いて、オンライン状態か否かを判断してもよい。そして、オンライン検出部６２０は、オンライン状態であると判断した場合に、オンライン状態である旨を示すオンライン通知を選択部６１０に送る。
【００２６】
なお、本図の例において、入力情報送信部４４０は、オンライン検出部６２０によりオンライン状態と判断された場合に、選択部６１０により選択された入力情報をＷＷＷサーバ２０に送るが、他の条件に基づいて送信する形態でもよい。例えば、入力情報送信部４４０は、オンライン検出部６２０によりオンライン状態であると判断された場合において、入力情報格納部４３０内に格納された全ての入力情報をＷＷＷサーバ２０に送ってもよいし、最後の入力用ページに入力パラメータが入力された時点で送ってもよい。
【００２７】
このように、ブラウザ５０の画面が比較的小さく、入力情報の全てを入力させる入力フォームを一括して表示させることができない場合において、通信システム１０は、情報端末３０の利用者に、入力情報を一部ずつ入力させるための複数の入力用ページを１ページずつ表示することができ、利用者に快適な入力環境を提供することができる。そして、選択部６１０は、既に入力された入力情報の中から、ＷＷＷサーバ２０に送るべき入力情報を、利用者の希望に応じて選択させることができる。更に、情報端末３０が、複数の入力用ページのそれぞれに対して入力された複数の入力パラメータを結合して入力情報としてＷＷＷサーバ２０に送るので、ＷＷＷサーバ２０は、所望の入力情報を一括して受信することができる。
【００２８】
図２は、ページ格納部４１０に格納された入力用ページの一例を示す。ページ格納部４１０は、入力用ページ８００−１〜Ｎと、パッケージリスト８１０とを格納する。本図で説明する各要素は、例えば、ＸＭＬ（ｅＸｔｅｎｓｉｂｌｅ  Ｍａｒｋｕｐ  Ｌａｎｇｕａｇｅ）等で記載されている。即ち、ページ格納部４１０は、本図の各要素を示すテキストデータを、当該テキストデータが何を示すかを定めるメタデータ（例えば、タグ情報）に対応付けて格納している。例えば、入力用ページ８００−１は、入力用ページの内容を示すテキストデータを、当該テキストデータが入力用データである旨を示すタグ情報に対応付けたデータである。
【００２９】
入力用ページ８００−１〜Ｎのそれぞれは、利用者に入力させる入力情報の一部ずつを複数の入力パラメータのそれぞれとして入力させるためのページである。そして、入力用ページ８００−１〜Ｎのそれぞれは、入力情報を構成する入力パラメータを入力させるための入力フォームを、少なくとも１つ含む。
【００３０】
他の例として、入力用ページ８００−１〜Ｎの何れかは、入力フォームを含まなくてもよい。例えば、入力用ページ８００−Ｋは、入力用ページ８００−Ｋの次に表示される入力用ページ８００−（Ｋ＋１）における入力の注意事項のみを含み、入力フォームを含まなくてもよい。この場合、入力の注意事項及び入力フォームを情報端末３０の画面上に一度に表示できない場合においても、入力の注意事項を表示した後に入力フォームを表示させることができ、利用者に利便な入力環境を提供することができる。
【００３１】
パッケージリスト８１０は、それぞれが入力用ページ８００−１〜Ｎに対応付けられた第１ページ情報８２０−１から第Ｎページ情報８２０−Ｎと、宛先情報８６０とを含む。第１ページ情報８２０−１から第Ｎ−１ページ情報８２０−Ｎ−１は、それぞれ本体ページ情報８３０−１〜Ｎ−１、次ページ情報８４０−１〜Ｎ−１、及びパッケージ識別情報８５０−１〜Ｎ−１を含む。第２ページ情報８２０−２から第Ｎ−１ページ情報８２０−Ｎ−１は、それぞれ第１ページ情報８２０−１と略同一の構成をとるので以降の説明を省略する。
【００３２】
本体ページ情報８３０−１は、入力用ページ８００−１を識別する情報を格納する。次ページ情報８４０−１は、入力用ページ８００−１の次にブラウザ５０の画面上に表示させるべきページを識別する情報、例えば、入力用ページ８００−２を識別する情報を格納する。
【００３３】
このように、ページ格納部４１０が、入力用ページ８００−１を識別する情報である本体ページ情報８３０−１を、当該入力用ページ８００−１の次に入力ページをブラウザ５０の画面上に表示させるべきページを識別する次ページ情報８４０−１に対応付けて格納しているので、ページ表示部４２０は、ページ格納部４１０に格納された複数の入力用ページの表示順を特定し、パッケージ識別情報毎に１ページずつ順次表示することができる。例えば、本図の例において、ページ表示部４２０は、入力用ページ８００−１〜Ｎのそれぞれをこの順に順次表示することができる。
【００３４】
パッケージ識別情報８５０−１は、同一の入力情報を構成する複数の入力パラメータをそれぞれ入力させるための複数の入力用ページ、例えば、入力用ページ８００−１〜Ｎから構成されるパッケージを識別する情報である。パッケージ識別情報８５０−１は、例えば、各々のパッケージを識別する文字列でもよいし、数値であってもよい。パッケージ識別情報８５０−１は、入力用ページ８００−１〜Ｎの製作者によって予め設定されていてもよいし、ページ受信部４００により入力用ページ８００−１〜Ｎが受信された場合にページ受信部４００により設定されてもよい。
このように、ページ格納部４１０が、複数の入力用ページのそれぞれを、パッケージ識別情報に対応付けて格納しているので、入力情報格納部４３０は、同一のパッケージに対応付けられた入力用ページへの入力パラメータを適切に選択することができる。
【００３５】
第Ｎページ情報８２０−Ｎは、第１ページ情報８２０−１とは異なり、次ページ情報８４０−Ｎを含まなくてもよい。また、第Ｎページ情報８２０−Ｎは、最終ページ情報８７０を更に含む。入力情報送信部４４０は、最終ページ情報８７０を参照することにより、何れの入力用ページがパッケージの最終ページであるかを識別することができる。
【００３６】
宛先情報８６０は、入力用ページ８００−１〜Ｎに入力された入力パラメータを、入力情報送信部４４０により送信する送信先を識別する情報である。宛先情報８６０は、例えば、入力用ページ８００−１〜ＮがＷＷＷシステム上のウェブページである場合の、ウェブページの所在を示す情報であるＵＲＬ（Ｕｎｉｆｏｒｍ  Ｒｅｓｏｕｒｃｅ  Ｌｏｃａｔｏｒの略）である。他の例として、宛先情報８６０は、宛先のサーバを識別するサーバ名であってもよいし、ＩＰアドレスであってもよいし、宛先のサーバへ通信する通信経路を示す情報であってもよいし、宛先を示すメールアドレスであってもよい。
このように、ページ受信部４００が、入力用ページ８００−１〜Ｎに入力された入力パラメータを送信する送信先である宛先情報８６０を受信してページ格納部４１０に格納するので、入力情報送信部４４０は、適切な送信先に入力情報を送信することができる。
【００３７】
図３は、入力情報格納部４３０に格納されたデータの一例を示し、図３（Ａ）は、入力情報格納部４３０に格納された入力パラメータの一例を示す。入力情報格納部４３０は、ブラウザ５０を用いて利用者から入力された入力パラメータに対応付けて、パッケージ識別情報と、入力識別情報と、宛先情報と、最終ページ情報を格納している。
【００３８】
例えば、入力情報格納部４３０は、パッケージ識別情報がＳｕｓｈｉＯｒｄｅｒ０１である一の入力用ページに入力された入力パラメータとして、Ａ＝３５及びＢ＝ＡＢＣＤを格納している。また、入力情報格納部４３０は、パッケージ識別情報がＳｕｓｈｉＯｒｄｅｒ０１である他の入力用ページに入力された入力パラメータとして、Ｃ＝５及びＤ＝ＸＸを格納している。そして、入力情報格納部４３０は、これらの入力パラメータの送信先を示す宛先情報としてＵＲＬ１を格納している。また、入力情報格納部４３０は、ＳｕｓｈｉＯｒｄｅｒ０１で識別されるＣ＝５及びＤ＝ＸＸの入力パラメータが、パッケージにおける最終ページに入力された入力パラメータである旨を示すために、最終ページフィールドにＹＥＳを格納している。
【００３９】
このように、入力情報送信部４４０は、入力情報格納部４３０に格納された入力パラメータのうち、同一のパッケージ識別情報に対応付けられた入力用ページに対して入力された入力パラメータを適切に選択することができる。更に、入力情報送信部４４０は、最終ページフィールドを参照することにより、同一のパッケージ識別情報に対応付けられた全ての入力用ページに対する入力パラメータが入力情報格納部４３０に格納されたか否かを適切に認識することができる。
【００４０】
また、入力情報格納部４３０は、あるパッケージ（例えば、ＳｕｓｈｉＯｒｄｅｒ０１）に対して複数の入力情報が入力された場合に、各入力情報を互いに識別する入力識別情報を、各入力情報を構成する入力パラメータに対応付けて格納する。例えば、入力情報格納部４３０は、Ａ＝３５及びＢ＝ＡＢＣＤと、Ａ＝３２及びＢ＝ＸＸＸＸとに、それぞれ入力識別情報として０と、１とを対応付けて格納している。
【００４１】
図３（Ｂ）は、入力情報格納部４３０が格納する、パッケージ識別情報に対応付けられた入力識別情報の一例を示す。本図を用いて、図３（Ａ）に示した入力識別情報の生成例を説明する。入力情報格納部４３０は、最終ページ情報が識別する最終入力用ページへの入力パラメータ（例えばＣ＝５及びＤ＝ＸＸ）を格納した場合に、当該最終ページ情報に対応付けられたパッケージ（例えばＳｕｓｈｉＯｒｄｅｒ０１）に対応する入力識別情報を１増加させる。例えば、入力情報格納部４３０は、ＳｕｓｈｉＯｒｄｅｒ０１に対応する入力識別情報を、初期値の０から１に変更する。
なお、図３（Ａ）に示すように、ＳｕｓｈｉＯｒｄｅｒ０２の最終ページは未だ入力されていないので、入力情報格納部４３０は、ＳｕｓｈｉＯｒｄｅｒ０２に対応付けた入力識別情報として０を格納している。
【００４２】
従って、入力情報格納部４３０がＳｕｓｈｉＯｒｄｅｒ０１についてその後受け取る入力パラメータ（例えば、Ａ＝３２及びＢ＝ＸＸＸＸ）に対しては、１増加された入力識別情報ＩＤが対応付けられることとなり、ＳｕｓｈｉＯｒｄｅｒ０１に対する複数の入力情報を互いに区別させることができる。
【００４３】
以上の説明から明らかなように、入力情報送信部４４０は、本図で説明した入力情報格納部４３０を参照することにより、入力情報格納部４３０に格納された入力パラメータのうち、同一のパッケージ識別情報に対応付けられた入力用ページに対して入力された、同一の入力識別情報に対応付けられた複数の入力パラメータを選択して結合し、入力情報としてＷＷＷサーバ２０に送信することができる。
入力情報送信部４４０は、結合の処理の一例として、入力パラメータを「＆」で接続する処理を行う。例えば、入力情報送信部４４０は、「Ａ＝３５＆Ｂ＝ＡＢＣＤ」を「Ｃ＝５＆Ｄ＝ＸＸ」に「＆」を用いて接続し、「Ａ＝３５＆Ｂ＝ＡＢＣＤ＆Ｃ＝５＆Ｄ＝ＸＸ」を生成する。また、入力情報送信部４４０は、複数の入力パラメータが複数のテキストデータとして表されている場合には、テキストデータを連結する処理を結合処理の一例として更に行ってもよい。
【００４４】
図４は、通信システム１０の動作フローを示す。ページ受信部４００は、入力用ページを送信する指示である要求指示を、ＷＷＷサーバ２０に送る（Ｓ４００）。これを受けて、ページ送信部１１０は、複数の入力用ページを入力用ページ格納データベース１０５から選択し、パッケージ識別情報、宛先情報、及び最終ページ情報に対応付けてページ受信部４００に送る（Ｓ２００）。そして、ページ受信部４００は、入力用ページを、パッケージ識別情報、宛先情報、及び最終ページ情報に対応付けてページ送信部１１０から受信しページ格納部４１０に格納する（Ｓ４１０）。
【００４５】
より詳細な例として、ページ受信部４００は、Ｓ４００において、要求指示と伴に情報端末３０の種類を示す情報を更に送ってもよい。この場合、ページ送信部１１０は、情報端末３０の種類を示す情報に応じて、情報端末３０の表示画面の大きさに合致した入力用ページを入力用ページ格納データベース１０５から選択してもよい。例えば、入力用ページは、情報端末３０の表示画面の大きさと同一の大きさでもよいし、表示画面の大きさより所定サイズ大きくてもよいし、表示画面の所定枚数分の大きさでもよい。
【００４６】
続いて、情報端末３０は、以下の処理を繰り返し行う。ページ表示部４２０は、ページ格納部４１０に格納された複数の入力用ページを、パッケージ識別情報毎に１ページずつ順次ブラウザ５０の画面上に表示する（Ｓ４２０）。入力情報格納部４３０は、ページ表示部４２０により表示された複数の入力用ページに対して利用者から入力された入力パラメータを、宛先識別情報及びパッケージ識別情報に対応付けてブラウザ５０から受信し格納する。この際、入力情報格納部４３０は、最終ページ情報により識別される最終の入力用ページへの入力パラメータを受信した場合には、最終ページ情報を更に入力パラメータに対応付けて格納する。更に、入力情報格納部４３０は、入力パラメータに入力識別情報を対応付けて格納する（Ｓ４３０）。
【００４７】
入力情報表示部６００は、入力情報を表示する旨の表示指示を利用者から受け取った場合に（Ｓ４４０：ＹＥＳ）、図５で示す表示処理を行わせる。一方、入力情報表示部６００が、入力情報を表示する旨の表示指示を受け取っていない場合に（Ｓ４４０：ＮＯ）、入力情報格納部４３０は、パッケージ内における最終の入力用ページへの入力パラメータを格納したか否かを判断する（Ｓ４５０）。
【００４８】
入力情報格納部４３０は、最終の入力用ページへの入力パラメータを格納したと判断した場合に（Ｓ４５０：ＹＥＳ）、当該入力用ページに対応付けられたパッケージ識別情報についての入力識別情報を１増加し（Ｓ４６０）、Ｓ４２０に戻る。入力情報格納部４３０が、最終の入力用ページへの入力パラメータを格納していないと判断した場合に（Ｓ４５０：ＮＯ）、情報端末３０は、Ｓ４２０に戻り処理を継続する。
【００４９】
図５は、図４に続く通信システム１０の動作フローを示す。入力情報表示部６００は、利用者から、入力情報を表示する旨の表示指示を受け取った場合に、入力情報格納部４３０内に格納された全ての入力情報（即ち複数の入力パラメータ）を、例えば、テーブル形式で利用者に対して表示する（Ｓ４７０）。
【００５０】
そして、選択部６１０は、外部から、入力情報表示部６００により表示された複数の入力情報のうち何れの入力情報を送信するかを選択する選択指示を受け取ることにより、送信すべき入力情報を入力情報格納部４３０中から選択する（Ｓ４８０）。入力情報送信部４４０は、選択された入力情報を構成する全ての入力パラメータが格納されていないと判断した場合に（Ｓ４９０：ＮＯ）、Ｓ４７０の処理に戻る。
【００５１】
一方、入力情報送信部４４０は、選択された入力情報を構成する全ての入力パラメータが格納されていると判断した場合（Ｓ４９０：ＹＥＳ）、かつオンライン検出部６２０がオンライン状態であると判断した場合（Ｓ５００：ＹＥＳ）に、これら全ての入力パラメータを結合し、入力情報としてＷＷＷサーバ２０に送信する（Ｓ５１０）。これを受けて、返信処理部１２０は、入力情報を受信し（Ｓ２１０）、当該入力情報に応じた返信処理を行う（Ｓ２２０）。
【００５２】
ウェブキャッシュアプレット６０は、利用者による当該ウェブキャッシュアプレット６０を用いた入力情報の選択処理が終了していない場合に（Ｓ５２０：ＮＯ）、Ｓ４７０に戻り、再び入力パラメータを選択させる一連の処理を行う。続いて、ウェブキャッシュアプレット６０又はブラウザ５０は、ＷＷＷサーバ２０から受け取った返信情報を利用者に表示する（Ｓ５３０）。
【００５３】
このように、情報端末３０が、利用者に一部ずつ入力させた入力情報を結合してＷＷＷサーバ２０に送るので、ＷＷＷサーバ２０は、所望の入力情報を一括して受信し、迅速に返信処理を行うことができる。
なお、通信システム１０は、本図で示した処理の順序の一部を入れ替えた処理を行ってもよい。例えば、通信システム１０は、全ての入力パラメータが格納されたか否かの判断（Ｓ４９０）及びオンライン状態か否かの判断（Ｓ５００）の順序を入れ替えてもよい。通信システム１０は、情報端末３０の実現形態、例えば、主として無線通信を行う装置か否かに応じて、これらの判断順序を変更することにより、当該通信システム１０の処理全体の高速化等を実現することができる。
【００５４】
図６は、ＷＷＷサーバ２０のハードウェア構成の一例を示す。本実施形態に係るＷＷＷサーバ２０は、ホストコントローラ１０８２により相互に接続されるＣＰＵ１０００、ＲＡＭ１０２０、グラフィックコントローラ１０７５、及び表示装置１０８０を有するＣＰＵ周辺部と、入出力コントローラ１０８４によりホストコントローラ１０８２に接続される通信インターフェイス１０３０、ハードディスクドライブ１０４０、及びＣＤ−ＲＯＭドライブ１０６０を有する入出力部と、入出力コントローラ１０８４に接続されるＲＯＭ１０１０、フレキシブルディスクドライブ１０５０、及び入出力チップ１０７０を有するレガシー入出力部とを備える。
【００５５】
ホストコントローラ１０８２は、ＲＡＭ１０２０と、高い転送レートでＲＡＭ１０２０をアクセスするＣＰＵ１０００及びグラフィックコントローラ１０７５とを接続する。ＣＰＵ１０００は、ＲＯＭ１０１０及びＲＡＭ１０２０に格納されたプログラムに基づいて動作し、各部の制御を行う。グラフィックコントローラ１０７５は、ＣＰＵ１０００等がＲＡＭ１０２０内に設けたフレームバッファ上に生成する画像データを取得し、表示装置１０８０上に表示させる。これに代えて、グラフィックコントローラ１０７５は、ＣＰＵ１０００等が生成する画像データを格納するフレームバッファとしてビデオメモリ１０７７を用いる。
【００５６】
入出力コントローラ１０８４は、ホストコントローラ１０８２と、比較的高速な入出力装置である通信インターフェイス１０３０、ハードディスクドライブ１０４０、及びＣＤ−ＲＯＭドライブ１０６０を接続する。通信インターフェイス１０３０は、ネットワークを介して他の装置と通信する。ハードディスクドライブ１０４０は、ＷＷＷサーバ２０又は情報端末３０が使用するプログラム及びデータを格納する。ＣＤ−ＲＯＭドライブ１０６０は、ＣＤ−ＲＯＭ１０９５からプログラム又はデータを読み取り、ＲＡＭ１０２０を介して入出力チップ１０７０に提供する。
【００５７】
また、入出力コントローラ１０８４には、ＲＯＭ１０１０と、フレキシブルディスクドライブ１０５０や入出力チップ１０７０等の比較的低速な入出力装置とが接続される。ＲＯＭ１０１０は、ＷＷＷサーバ２０の起動時にＣＰＵ１０００が実行するブートプログラムや、ＷＷＷサーバ２０のハードウェアに依存するプログラム等を格納する。フレキシブルディスクドライブ１０５０は、フレキシブルディスク１０９０からプログラム又はデータを読み取り、ＲＡＭ１０２０を介して入出力チップ１０７０に提供する。入出力チップ１０７０は、フレキシブルディスク１０９０や、例えばパラレルポート、シリアルポート、キーボードポート、マウスポート等を介して各種の入出力装置を接続する。また、入出力チップ１０７０は、利用者の入力に対応するデータを受信し、ＷＷＷサーバ２０上で実行されるプログラムに与える。
【００５８】
ＷＷＷサーバ２０に提供され実行されるプログラムは、機能構成として、ページ送信モジュール及び返信処理モジュールを有する。また、ＷＷＷサーバ２０に提供され、情報端末３０にインストールされて実行されるプログラムは、機能構成として、ページ受信モジュール、ページ格納モジュール、ページ表示モジュール、入力情報格納モジュール、入力情報送信モジュール、返信情報格納モジュール、及び返信情報表示モジュールを有する。各モジュールがＷＷＷサーバ２０及び情報端末３０に働きかけて行わせる動作は、図１から図５において説明したＷＷＷサーバ２０及び情報端末３０における、対応する部材の動作と同一であるから、説明を省略する。
【００５９】
ＷＷＷサーバ２０又は情報端末３０に提供されプログラムは、フレキシブルディスク１０９０、ＣＤ−ＲＯＭ１０９５、又はＩＣカード等のプログラム記録媒体に格納されて利用者によって提供される。プログラムは、プログラム記録媒体から読み出され、ＷＷＷサーバ２０においてインストールされ実行されてもよいし、通信インターフェイス１０３０を介して情報端末３０に提供されてもよい。
【００６０】
以上に示したプログラム又はモジュールは、外部の記憶媒体に格納されてもよい。記憶媒体としては、フレキシブルディスク１０９０、ＣＤ−ＲＯＭ１０９５の他に、ＤＶＤやＰＤ等の光学記録媒体、ＭＤ等の光磁気記録媒体、テープ媒体、ＩＣカード等の半導体メモリ等を用いることができる。また、専用通信ネットワークやインターネットに接続されたサーバシステムに設けたハードディスク又はＲＡＭ等の記憶装置を記録媒体として使用し、ネットワークを介してプログラムをＷＷＷサーバ２０に提供してもよい。
【００６１】
以上の説明から明らかなように、通信システム１０は、情報端末３０により利用者に一部ずつ入力させた入力情報を結合させ、ＷＷＷサーバ２０に送らせるので、ＷＷＷサーバ２０は、所望の入力情報を一括して受信し、迅速に返信処理を行うことができる。
また、情報端末３０は、表示画面の大きさが入力情報を一括して入力させるに足りない場合であっても、利用者に煩雑な操作を要求することなく所望の入力を行わせ、送信させることができる。
また、通信システム１０は、情報端末３０により予め受信された一の入力用ページに、複数の入力パラメータが入力された場合であっても、当該複数の入力パラメータのそれぞれを適切に結合し、複数の入力情報を生成することができる。
【００６２】
以上で述べた事項は、更に、次の効果を生む。
ＷＷＷサーバ２０は、所望の入力情報を一括して入力させることのできる大きな表示画面を持つ装置（例えば、パーソナルコンピュータ）に対する受信処理部を既に有している場合において、当該受信処理部を変更することなく、表示画面の小さい情報端末３０に対する受信処理部として利用することができる。例えば、既にパーソナルコンピュータ用に作られた入力用ページが用意されている場合において、ＷＷＷサーバ２０の管理者は、これらの入力用ページを情報端末３０の表示画面にあわせて分割する処理を行うことのみにより、分割して入力される入力パラメータをそれぞれ受信する新たな設備を用いることなく、情報端末３０の利用者にとって快適な入力環境を提供することができる。従って、ＷＷＷサーバ２０の管理者は、本実施形態による通信システム１０を用いることによって、パーソナルコンピュータ用に作られた入力用ページを、携帯電話等の情報端末３０用に容易に移植することができる。
【００６３】
以上、本発明を実施形態を用いて説明したが、本発明の技術的範囲は上記実施形態に記載の範囲には限定されない。上記実施形態に、多様な変更または改良を加えることができる。そのような変更または改良を加えた形態も本発明の技術的範囲に含まれ得ることが、特許請求の範囲の記載から明らかである。
【００６４】
以上で示した実施形態によれば、以下に示す情報端末、送受信代理装置、通信システム、通信方法、プログラム、及び記録媒体が実現される。
（項目１）  ネットワークを介してサーバからダウンロードされた入力用ページを表示し、利用者が当該入力用ページに対して入力した情報をネットワークへ送信する情報端末であって、当該情報端末上で実行されるブラウザ画面上に、複数の前記入力用ページをそれぞれ表示するページ表示部と、前記複数の入力用ページに対してそれぞれ入力された複数の入力パラメータを格納する入力情報格納部と、前記複数の入力パラメータを送信させる送信指示を受けた場合に、前記複数の入力パラメータを送信する入力情報送信部とを備えることを特徴とする情報端末。
（項目２）  前記複数の入力用ページは、利用者に入力させる入力情報の一部ずつを前記複数の入力パラメータのそれぞれとして入力させるためのページであり、前記複数の入力用ページを、当該複数の入力用ページを識別するパッケージ識別情報に対応付けて受信するページ受信部を更に備え、前記入力情報送信部は、前記入力情報格納部に格納された入力パラメータのうち、同一の前記パッケージ識別情報に対応付けられた入力用ページに対して入力された入力パラメータを選択して結合し、前記入力情報として送信することを特徴とする項目１記載の情報端末。
【００６５】
（項目３）  前記入力情報格納部は、同一の前記パッケージ識別情報に対する複数の前記入力情報を識別する入力識別情報を、前記複数の入力パラメータのそれぞれに対応付けて格納し、前記入力情報送信部は、前記入力情報格納部に格納された入力パラメータのうち、同一の前記パッケージ識別情報に対応付けられた入力用ページに対して入力された、同一の前記入力識別情報に対応付けられた複数の入力パラメータを選択して結合し、前記入力情報として送信することを特徴とする項目２記載の情報端末。
（項目４）  前記入力情報送信部は、同一の前記パッケージ識別情報に対応付けられた全ての前記複数の入力用ページのそれぞれに対する前記複数の入力パラメータが、前記入力情報格納部に格納された場合に、当該複数の入力パラメータを結合して前記入力情報として送信することを特徴とする項目２記載の情報端末。
【００６６】
（項目５）  前記ページ受信部は、前記複数の入力用ページを、当該複数の入力用ページの各々を表示させる表示順を識別する情報に対応付けて受信し、当該情報端末は、前記複数の入力用ページを前記パッケージ識別情報に対応付けて格納するページ格納部を更に備え、前記ページ表示部は、前記ページ格納部に格納された一の前記入力用ページを表示し、前記一の入力用ページへの入力が終了した旨の指示を受けた場合に、前記一の入力用ページの次の前記表示順を有する入力用ページを表示することを特徴とする項目２記載の情報端末。
（項目６）  前記ページ受信部は、前記入力情報の返送先を識別する情報である宛先情報を、前記パッケージ識別情報に対応付けて更に受信し、前記入力情報送信部は、前記入力情報格納部に格納された入力パラメータのうち、同一のパッケージ識別情報に対応付けられた複数の入力用ページへの複数の入力パラメータを選択して結合し、当該同一のパッケージ識別情報に対応付けられた前記宛先情報が識別する返送先に送信することを特徴とする項目２記載の情報端末。
（項目７）  前記入力情報格納部に格納された前記複数の入力情報を表示する入力情報表示部と、前記複数の入力情報のうち何れの入力情報を送信するかを利用者に選択させる選択部とを更に備え、前記入力情報送信部は、選択された前記入力情報を送信することを特徴とする項目２記載の情報端末。
【００６７】
（項目８）  当該情報端末が外部の装置と通信可能か否かを検出するオンライン検出部を更に備え、前記入力情報送信部は、当該情報端末が前記外部の装置と通信可能と検出された場合に、前記複数の入力パラメータを送信することを特徴とする項目１記載の情報端末。
（項目９）  前記複数の入力パラメータを受信したサーバが返信する返信情報を、当該返信情報の送信元のサーバを識別する情報に対応付けて格納する返信情報格納部と、前記返信情報を表示する指示を受けた場合に、前記返信情報を表示する返信情報表示部とを更に備えることを特徴とする項目１記載の情報端末。
（項目１０）  ネットワークを介してサーバからダウンロードされた入力用ページを情報端末に表示させ、利用者が当該入力用ページに対して入力した情報を送信する送受信代理装置であって、前記情報端末上で実行されるブラウザ画面上に、複数の前記入力用ページをそれぞれ表示させるページ表示部と、前記複数の入力用ページに対してそれぞれ入力された複数の入力パラメータを格納する入力情報格納部と、前記複数の入力パラメータを送信させる送信指示を受けた場合に、前記複数の入力パラメータを送信する入力情報送信部とを備えることを特徴とする送受信代理装置。
【００６８】
（項目１１）  複数の入力用ページを格納するサーバと、前記複数の入力用ページに対する利用者の入力を受け付ける情報端末とを備えた通信システムであって、前記サーバは、前記情報端末からの要求指示に応じて複数の入力用ページを送信するページ送信部を有し、前記情報端末は、前記複数の入力ページを要求する要求指示を前記サーバに送信し、当該複数の入力ページを受信するページ受信部と、当該情報端末上で実行されるブラウザ画面上に、複数の前記入力用ページをそれぞれ表示するページ表示部と、前記複数の入力用ページに対してそれぞれ入力された複数の入力パラメータを格納する入力情報格納部と、前記複数の入力パラメータを送信させる送信指示を受けた場合に、前記複数の入力パラメータを送信する入力情報送信部とを有することを特徴とする通信システム。
（項目１２）  複数の入力用ページを格納するサーバと、前記複数の入力用ページに対する利用者の入力を受け付ける情報端末との間の通信方法であって、前記サーバは、前記情報端末からの要求指示に応じて複数の入力用ページを送信する段階を有し、前記情報端末は、前記複数の入力ページの送信を要求する要求指示を前記サーバに送信し、当該複数の入力ページを受信する段階と、当該情報端末上で実行されるブラウザ画面上に、複数の前記入力用ページをそれぞれ表示する段階と、前記複数の入力用ページに対してそれぞれ入力された複数の入力パラメータをメモリに格納する段階と、前記複数の入力パラメータを送信させる送信指示を受けた場合に、前記複数の入力パラメータを送信する段階とを有することを特徴とする通信方法。
【００６９】
（項目１３）  ネットワークを介してサーバからダウンロードされた入力用ページを表示し、利用者が当該入力用ページに対して入力した情報をネットワークへ送信する情報端末としてコンピュータを機能させるプログラムであって、前記コンピュータを当該情報端末上で実行されるブラウザ画面上に、複数の前記入力用ページをそれぞれ表示するページ表示部と、前記複数の入力用ページに対してそれぞれ入力された複数の入力パラメータを格納する入力情報格納部と、前記複数の入力パラメータを送信させる送信指示を受けた場合に、前記複数の入力パラメータを送信する入力情報送信部として機能させることを特徴とするプログラム。
（項目１４）  ネットワークを介してサーバからダウンロードされた入力用ページを表示し、利用者が当該入力用ページに対して入力した情報をネットワークへ送信する情報端末としてコンピュータを機能させるプログラムを記録した記録媒体であって、前記プログラムは、前記コンピュータを当該情報端末上で実行されるブラウザ画面上に、複数の前記入力用ページをそれぞれ表示するページ表示部と、前記複数の入力用ページに対してそれぞれ入力された複数の入力パラメータを格納する入力情報格納部と、前記複数の入力パラメータを送信させる送信指示を受けた場合に、前記複数の入力パラメータを送信する入力情報送信部として機能させることを特徴とする記録媒体。
【００７０】
【発明の効果】
上記説明から明らかなように、本発明によれば表示画面の大きさが所望の入力情報を一括して入力させるに足りない端末において、利用者に煩雑な操作を要求することなく所望の入力を行わせることができる。
【図面の簡単な説明】
【図１】図１は、通信システム１０の機能ブロック図。
【図２】図２は、ページ格納部４１０に格納された入力用ページの一例を示す図。
【図３】図３は、入力情報格納部４３０に格納されたデータの一例を示す図。
【図４】図４は、通信システム１０の動作フロー図。
【図５】図５は、図４に続く通信システム１０の動作フロー図。
【図６】図６は、ＷＷＷサーバ２０のハードウェア構成の一例を示す図。
【符号の説明】
１０  通信システム
２０  ＷＷＷサーバ
２５  ネットワーク
３０  情報端末
４０  ＨＴＴＰプロキシ
５０  ブラウザ
６０  ウェブキャッシュアプレット
１０５  入力用ページ格納データベース
１１０  ページ送信部
１２０  返信処理部
４００  ページ受信部
４１０  ページ格納部
４２０  ページ表示部
４３０  入力情報格納部
４４０  入力情報送信部
４５０  返信情報格納部
４６０  返信情報表示部
６００  入力情報表示部
６１０  選択部
６２０  オンライン検出部
８００  入力用ページ
８１０  パッケージリスト
８２０  ページ情報
８３０  本体ページ情報
８４０  次ページ情報
８５０  パッケージ識別情報
８６０  宛先情報
８７０  最終ページ情報
【図１】
2004152184.tif 000003
【図２】
2004152184.tif 000004
【図３】
2004152184.tif 000005
【図４】
2004152184.tif 000006
【図５】
2004152184.tif 000007
【図６】
2004152184.tif 000008